【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
所定の順序で関連づけられた情報のうちの第１情報が表示された、操作者に対向する第１表示面と、
前記第１表示面とは反対の面に設けられた第２表示面と、
前記第１表示面から前記第２表示面へと操作者が対向する表示面が変更されると、前記第１情報の次の順序に関連づけられた第２情報を前記第２表示面に表示させる制御部と、を備える
ことを特徴とする表示装置。
【請求項２】
前記制御部は、前記第１表示面から前記第２表示面へと操作者が対向する表示面が変更された後、前記第２表示面から前記第１表示面へと操作者が対向する表示面が変更されたことに基づいて、前記第２情報の次の順序に関連づけられた第３情報を前記第１表示面に表示させる
ことを特徴とする請求項１に記載の表示装置。
【請求項３】
操作者が前記第１表示面に対向するか前記第２表示面に対向するかを検出する検出部と、を備え、
前記制御部は、前記検出部による検出に基づいて、操作者に対向する表示面の変更を検出する
ことを特徴とする請求項１または請求項２に記載の表示装置。
【請求項４】
前記第１表示面側に設置される第１撮像部と、
前記第２表示面側に設置される第２撮像部と、を備え、
前記検出部は、前記第１撮像部もしくは前記第２撮像部によって撮像された画像に基づいて、操作者が前記第１表示面に対向するか前記第２表示面に対向するかを検出する
ことを特徴とする請求項３に記載の表示装置。
【請求項５】
前記制御部は、操作者の操作に基づいて、前記次の順序の方向を昇順方向もしくは降順方向のいずれかを選択する
ことを特徴とする請求項１から請求項４のいずれか一項に記載の表示装置。
【請求項６】
前記所定の順序で関連づけられた情報は、電子書籍の頁の順序で関連づけられた情報であり、
前記制御部は、第１表示面から前記第２表示面へと操作者が対向する表示面が変更されたことに基づいて、前記第１表示面に表示されていた前記電子書籍に含まれる頁の次の頁を前記第２表示面に表示させる
ことを特徴とする請求項１から請求項５のいずれか一項に記載の表示装置。
【請求項７】
前記第１表示面側に配置されている第１操作入力部と、
前記第２表示面側に配置されている第２操作入力部とを備え、
前記制御部は、前記検出部による検出に基づいて、前記第１操作入力部と前記第２操作入力部との操作方法を制御する
ことを特徴とする請求項３または請求項４に記載の表示装置。
【請求項８】
前記制御部は、前記検出部によって前記第１表示面に操作者が対向する検出された場合、前記第２操作入力部によって入力可能な範囲を前記第１操作入力部よりも小さくする
ことを特徴とする請求項７に記載の表示装置。
【請求項９】
操作者による把持の状態を検出する把持状態検出部と、を備え、
前記制御部は、前記把持状態検出部による検出に基づいて、前記第１表示面もしくは前記第２表示面の表示を制御する
ことを特徴とする請求項７に記載の表示装置。
【請求項１０】
所定の順序で関連づけられた情報のうちの第１情報が表示された第１表示面と、
前記第１表示面とは反対の側に設けられた第２表示面と、
操作者が前記第１表示面に対向するか前記第２表示面に対向するかを検出する検出部と、
前記検出部の検出に基づいて、前記第１情報の次以降の順序に関連づけられた第２情報を、前記第２表示面もしくは前記第１表示面に表示させる制御部と、を備える
ことを特徴とする表示装置。
【請求項１１】
所定の順序で関連づけられた情報のうちの第１情報が表示され、操作者に対向する第１表示面と、前記第１表示面とは反対の面に設けられた第２表示面と、を有する表示装置が備えるコンピュータに、
前記第１表示面から前記第２表示面へと操作者が対向する表示面が変更されると、前記第１情報の次の順序に関連づけられた第２情報を前記第２表示面に表示させる処理、
を実行させるためのプログラム。
【請求項１２】
所定の順序で関連づけられた情報のうちの第１情報が表示された第１表示面と、前記第１表示面とは反対の面に設けられた第２表示面と、を有する表示装置が備えるコンピュータに、
操作者が前記第１表示面に対向するか前記第２表示面に対向するかを検出する処理と、
前記検出に基づいて、前記第１情報の次以降の順序に関連づけられた第２情報を、前記第２表示面もしくは前記第１表示面に表示させる処理と、
を実行させるためのプログラム。
【手続補正２】
【補正対象書類名】明細書
【補正対象項目名】発明の名称
【補正方法】変更
【補正の内容】
【発明の名称】表示装置、およびプログラム
【手続補正３】
【補正対象書類名】明細書
【補正対象項目名】０００１
【補正方法】変更
【補正の内容】
【０００１】
本発明は、表示装置、およびプログラムに関する。
【手続補正４】
【補正対象書類名】明細書
【補正対象項目名】０００５
【補正方法】変更
【補正の内容】
【０００５】
本発明は、このような事情に鑑みてなされたもので、その目的は、互いに異なる複数の面に表示部を有する場合であっても、それぞれの表示部の表示面に対面する複数の方向に位置する操作者に応じて適切な制御をすることができる表示装置、およびプログラムを提供することにある。
【手続補正５】
【補正対象書類名】明細書
【補正対象項目名】０００６
【補正方法】変更
【補正の内容】
【０００６】
この発明は上述した課題を解決するためになされたもので、本発明の一態様は、所定の順序で関連づけられた情報のうちの第１情報が表示された、操作者に対向する第１表示面と、前記第１表示面とは反対の面に設けられた第２表示面と、前記第１表示面から前記第２表示面へと操作者が対向する表示面が変更されると、前記第１情報の次の順序に関連づけられた第２情報を前記第２表示面に表示させる制御部と、を備えることを特徴とする表示装置である。
【手続補正６】
【補正対象書類名】明細書
【補正対象項目名】０００７
【補正方法】変更
【補正の内容】
【０００７】
また、本発明の一態様は、所定の順序で関連づけられた情報のうちの第１情報が表示された第１表示面と、前記第１表示面とは反対の側に設けられた第２表示面と、作者が前記第１表示面に対向するか前記第２表示面に対向するかを検出する検出部と、前記検出部の検出に基づいて、前記第１情報の次以降の順序に関連づけられた第２情報を、前記第２表示面もしくは前記第１表示面に表示させる制御部と、を備えることを特徴とする表示装置である。
【手続補正７】
【補正対象書類名】明細書
【補正対象項目名】０００８
【補正方法】変更
【補正の内容】
【０００８】
また、本発明の一態様は、所定の順序で関連づけられた情報のうちの第１情報が表示され、操作者に対向する第１表示面と、前記第１表示面とは反対の面に設けられた第２表示面と、を有する表示装置が備えるコンピュータに、前記第１表示面から前記第２表示面へと操作者が対向する表示面が変更されると、前記第１情報の次の順序に関連づけられた第２情報を前記第２表示面に表示させる処理、を実行させるためのプログラムである。
また、本発明の一態様は、所定の順序で関連づけられた情報のうちの第１情報が表示された第１表示面と、前記第１表示面とは反対の面に設けられた第２表示面と、を有する表示装置が備えるコンピュータに、操作者が前記第１表示面に対向するか前記第２表示面に対向するかを検出する処理と、前記検出部の検出に基づいて、前記第１情報の次以降の順序に関連づけられた第２情報を、前記第２表示面もしくは前記第１表示面に表示させる処理と、を実行させるためのプログラムである。